(57)【要約】【課題】使用者の上唇と上顎歯肉の間にしっかりと密着して装着させることができ、また、装着時に食事等も可能で、実用性に富み、また、使用者の上顎歯肉と上唇との間に装着した際、ほうれい線を目立たなくするマウスピース及び当該マウスピースの製造方法を提供する。【解決手段】使用者の上顎歯肉の外形に沿って湾曲した扁平な２つのシリコーン材から形成され、前記各シリコーン材の内側面に、使用者の上顎歯肉面の凹凸形状に嵌合、密着するように凹凸形状が形成され、前記各シリコーン材が前記使用者の上顎歯肉上の両側のほうれい線に相応する位置に装着された際、各シリコーン材の外側面がほうれい線を内側から押し上げるように盛り上がっている構成とした。【選択図】図１
2020081409.tif 000002
【特許請求の範囲】
【請求項１】
使用者の上顎歯肉の外形に沿って湾曲した扁平な１つのシリコーン材から形成され、
前記シリコーン材の内側面に、使用者の上顎歯肉面の凹凸形状に嵌合、密着するように凹凸形状が形成され、
前記シリコーン材が前記使用者の上顎歯肉上に装着された際、当該シリコーン材の両端部の外側面が当該使用者の両側のほうれい線を内側から押し上げるように盛り上がっていることを特徴とする、ほうれい線を目立たなくするマウスピース。
【請求項２】
使用者の上顎歯肉の外形に沿って湾曲した扁平な２つのシリコーン材から形成され、
前記各シリコーン材の内側面に、使用者の上顎歯肉面の凹凸形状に嵌合、密着するように凹凸形状が形成され、
前記各シリコーン材が前記使用者の上顎歯肉上の両側のほうれい線に相応する位置に装着された際、各シリコーン材の外側面がほうれい線を内側から押し上げるように盛り上がっていることを特徴とする、ほうれい線を目立たなくするマウスピース。
【請求項３】
前記マウスピースの奥歯側の端部を最後方歯の内側に延ばして巻き回し、当該最後方歯の外周に当接される係止部を設けたことを特徴とする、前記請求項１又は２の何れかに記載のほうれい線を目立たなくするマウスピース。
【請求項４】
使用者の少なくとも上顎の歯型の型取り模型を形成し、
前記型取り模型の、湾曲形状の上顎歯肉面にプラスティック性材料を押し当て、前記プラスティック性材料の内側面を湾曲形状に形成させ、また、前記上顎歯肉面の凹凸形状に嵌合、密着するように前記プラスティック性材料の内側面に凹凸形状を形成させ、
使用者の上顎歯肉上に装着された際、当該使用者のほうれい線を内側から押し上げて目立たなくするように、押し当てたプラスティック性材料の外側表面にワックスを塗布して盛り上げ、
以上によって形成したマウスピースの原型を、液体状の石膏内に埋没させ、
当該石膏が固化した後、前記マウスピースの原型を取り去って当該石膏内に前記マウスピースの原型の形状の空間を形成し、
当該空間内に液体状のシリコーン材を流し込み、当該シリコーン材を固化させて形成することを特徴とする、ほうれい線を目立たなくするマウスピースの製造方法。
【請求項５】
使用者の上顎の形状を計測し、
計測された上顎の形状に基づいて、内側面を湾曲形状に形成させ、また、上顎歯肉面の凹凸形状に嵌合、密着するように内側面に凹凸形状を形成させたプラスティック性材料を形成し、
使用者の上顎歯肉上に装着された際、当該使用者のほうれい線を内側から押し上げて目立たなくするように、形成されたプラスティック性材料の外側表面にワックスを塗布して盛り上げ、
以上によって形成したマウスピースの原型を、液体状の石膏内に埋没させ、
当該石膏が固化した後、前記マウスピースの原型を取り去って当該石膏内に前記マウスピースの原型の形状の空間を形成し、
当該空間内に液体状のシリコーン材を流し込み、当該シリコーン材を固化させて形成することを特徴とする、ほうれい線を目立たなくするマウスピースの製造方法。
【発明の詳細な説明】
【技術分野】
【０００１】
この発明は、顔面にできるほうれい線を目立たなくするマウスピース及び当該マウスピースの製造方法に関するものである。
【背景技術】
【０００２】
図１０に示すように、人の鼻の両脇から唇の両脇へ伸びる２本の線として、いわゆるほうれい線２がある。このほうれい線２は、加齢や乾燥等を原因としてできるものであるが、このほうれい線２があることによって、老けた印象を与えるので、目立たなくすることが望まれている。
【０００３】
この様なほうれい線を薄くして目立たなくする方法として、ほうれい線が出来る箇所にヒアルロン酸を注入する方法があるが、以下の欠点がある。ヒアルロン酸を上手く注入できないと顔が膨らんで見えたり、また、ヒアルロン酸が、ほうれい線に沿って残り、しこりとなって不自然に見えてしまう場合がある。さらに、ヒアルロン酸注射は繰り返し注入しなければ、効果を維持できない。また、過去に、ヒアルロン酸が誤って皮膚下の動脈に注入されて鼻が壊死したことがあった。加えて、ヒアルロン酸注射は高価である。
【０００４】
また、別の方法として、特許文献１に記載された豊麗線ピースがある。この豊麗線ピースは、一体に連結された道具を、口の中の上歯茎に通し、装着固定させることでほうれい線を目立たなくするというものである。
【先行技術文献】
【特許文献】
【０００５】
【特許文献１】実用新案登録第３１８８６９２号公報
【発明の開示】
【発明が解決しようとする課題】
【０００６】
しかしながら、前記特許文献１のものは、上顎歯肉に装着するものであるが、単に、上唇と上顎歯肉の間に挿入するだけのものであり、上顎歯肉と上唇との間に密着できるような具体的な手段は記載されておらず、また、いわゆる既製品であり、大きさや形状によって使用者の上顎歯肉と上唇との間に密着できないことが考えられる。また、画一的な形状では、人によってほうれい線を目立たなくすることができない場合がある。
【０００７】
この様に、豊麗線ピースが上顎歯肉上に密着できないと、ずれ易く、直ぐ外れてしまう。また、話しをしたり、口を動かしたりすると装着に耐えられず、食事なども出来ない。その結果、ほうれい線を目立たなくする器具又は装置と言っても、実用性に乏しく、採用できるものではない。
【０００８】
この発明は、これらの点に鑑みて為されたもので、使用者の上唇と上顎歯肉の間（言い換えれば、上顎歯肉上）にしっかりと密着して装着させることができ、また、装着時に食事等も可能で、実用性に富み、また、使用者の上顎歯肉と上唇との間に装着した際、ほうれい線を目立たなくするマウスピース及び当該マウスピースの製造方法を提供して前記課題を解決するものである。
【課題を解決するための手段】
【０００９】
請求項１の発明は、使用者の上顎歯肉の外形に沿って湾曲した扁平な１つのシリコーン材から形成され、前記シリコーン材の内側面に、使用者の上顎歯肉面の凹凸形状に嵌合、密着するように凹凸形状が形成され、前記シリコーン材が前記使用者の上顎歯肉上に装着された際、当該シリコーン材の両端部の外側面が当該使用者の両側のほうれい線を内側から押し上げるように盛り上がっている、ほうれい線を目立たなくするマウスピースとした。
【００１０】
請求項２の発明は、使用者の上顎歯肉の外形に沿って湾曲した扁平な２つのシリコーン材から形成され、前記各シリコーン材の内側面に、使用者の上顎歯肉面の凹凸形状に嵌合、密着するように凹凸形状が形成され、前記各シリコーン材が前記使用者の上顎歯肉上の両側のほうれい線に相応する位置に装着された際、各シリコーン材の外側面がほうれい線を内側から押し上げるように盛り上がっている、ほうれい線を目立たなくするマウスピースとした。
【００１１】
請求項３の発明は、前記マウスピースの奥歯側の端部を最後方歯の内側に延ばして巻き回し、当該最後方歯の外周に当接される係止部を設けた、前記請求項１又は２の何れかに記載のほうれい線を目立たなくするマウスピースとした。
【００１２】
請求項４の発明は、使用者の少なくとも上顎の歯型の型取り模型を形成し、前記型取り模型の、湾曲形状の上顎歯肉面にプラスティック性材料を押し当て、前記プラスティック性材料の内側面を湾曲形状に形成させ、また、前記上顎歯肉面の凹凸形状に嵌合、密着するように前記プラスティック性材料の内側面に凹凸形状を形成させ、使用者の上顎歯肉上に装着された際、当該使用者のほうれい線を内側から押し上げて目立たなくするように、押し当てたプラスティック性材料の外側表面にワックスを塗布して盛り上げ、以上によって形成したマウスピースの原型を、液体状の石膏内に埋没させ、当該石膏が固化した後、前記マウスピースの原型を取り去って当該石膏内に前記マウスピースの原型の形状の空間を形成し、当該空間内に液体状のシリコーン材を流し込み、当該シリコーン材を固化させて形成する、ほうれい線を目立たなくするマウスピースの製造方法とした。
【００１３】
請求項５の発明は、使用者の上顎の形状を計測し、計測された上顎の形状に基づいて、内側面を湾曲形状に形成させ、また、上顎歯肉面の凹凸形状に嵌合、密着するように内側面に凹凸形状を形成させたプラスティック性材料を形成し、使用者の上顎歯肉上に装着された際、当該使用者のほうれい線を内側から押し上げて目立たなくするように、形成されたプラスティック性材料の外側表面にワックスを塗布して盛り上げ、以上によって形成したマウスピースの原型を、液体状の石膏内に埋没させ、当該石膏が固化した後、前記マウスピースの原型を取り去って当該石膏内に前記マウスピースの原型の形状の空間を形成し、当該空間内に液体状のシリコーン材を流し込み、当該シリコーン材を固化させて形成する、ほうれい線を目立たなくするマウスピースの製造方法とした。
【発明の効果】
【００１４】
請求項１、４及び５の各発明によれば、一人一人オーダーメイドで、唇の上の皮膚を内側から押し上げてほうれい線を目立たなくするのに最も適切な位置及び形状が選択され、また当該位置の上顎歯肉面の凹凸形状に合わせて、内側面に凹凸形状が形成されたマウスピースであるため、効果的にほうれい線を目立たなくすることができる。
【００１５】
また、一旦、上顎歯肉上に装着されると容易に外れることは無く、また、シリコーン材から形成されているので、柔らかく、一日中装着していても、違和感が無く、また、痛み等も発生し難い。その結果、食事等も問題無くでき、実用性が高いものである。
【００１６】
さらに、このマウスピースを外す際は、上顎歯肉上にマウスピースの内側面を嵌合しただけなので、上顎歯肉の上下方向と略直角方向に力を加えれば、比較的容易に外すことができ、便利である。
【００１７】
請求項２の発明によれば、２つのマウスピース片から形成されているため、ほうれい線に相応する、左右の上顎歯肉上に装着し易く、また、上唇小帯の位置を考えずに、装着することができ、使い勝手が良いものである。
【００１８】
請求項３の発明によれば、使用者の最後方歯の外周に係止部を留めることで、マウスピースを安定して装着することができ、ほうれい線を目立たなくするマウスピースとしてより信頼性が高くなる。
【図面の簡単な説明】
【００１９】
【図１】この発明の実施の形態例１のマウスピースを左右の上顎歯肉上に装着した状態の一部正面図である。
【図２】この発明の実施の形態例１のマウスピースの原型を作るために歯型の型取り模型に化学重合型コンポジットレジンを押し当てた状態の正面図である。
【図３】この発明の実施の形態例１のマウスピースの原型片の斜視図である。
【図４】この発明の実施の形態例１のマウスピースの原型片の外側表面にワックスを塗布して盛り上げた状態の断面図である。
【図５】この発明の実施の形態例１のマウスピースを作るために原型を溶融した石膏内に埋没させた状態の断面図である。
【図６】この発明の実施の形態例１のマウスピースを左右の上顎歯肉上に装着した状態の人の口腔部の一部断面図である。
【図７】この発明の実施の形態例１のマウスピースの他の例を示す斜視図である。
【図８】この発明の実施の形態例２のマウスピースの内側面図である。
【図９】この発明の実施の形態例２のマウスピースを、右の上顎歯肉上に、且つ係止部を最後方歯の外周に当接させた状態を下から見た一部説明図である。
【図１０】人の顔面に出来たほうれい線を説明する一部正面図である。
【発明を実施するための最良の形態】
【００２０】
（実施の形態例１）
以下、この発明の実施の形態例１のほうれい線を目立たなくするマウスピース（以下、単に、「マウスピース」と言う。）を図に基づいて説明する。ここでは、この実施の形態例１のマウスピースＡの製造方法を説明する。
【００２１】
製造に際し、まず、使用者のほうれい線２の位置、長さを確認する。また、このほうれい線２を押し上げて目立たなくするためには、左右のほうれい線２に相応する上顎歯肉３上（図６参照）のどの位置にマウスピースＡを装着するか、また、マウスピースＡの原型の形状として、長さ、幅、厚さ等のおおまかな形状を確認し、想定しておく。
【００２２】
次に、図２に示すように、アルジネート印象材、シリコーン印象材等の歯科用材料によって、使用者の上顎４と下顎５の歯型の型取り模型６を形成する（型取り模型６では、上顎４´及び下顎５´とする）。その後、マウスピースＡの原型１を形成するために、前記型取り模型６の左右のほうれい線に相応する位置の上顎歯肉面に、粘土状の化学重合型コンポジットレジン等のプラスティック性材料を夫々押し当てて伸ばす。その結果、プラスティック性材料は、図３に示すように、湾曲した扁平な２つの原型片１ａ、１ａから構成されることとなる。
【００２３】
このように、上顎歯肉に押し当てることにより、プラスティック性材料は、この上顎歯肉３上の湾曲形状に合わせて隙間なく湾曲する。
【００２４】
また、マウスピースＡを装着する上顎歯肉３面は、各歯を支える歯肉の筋肉によって多くの凹凸が形成されているが、プラスティック性材料を押し当てることにより、これらの上顎歯肉３面の凹凸形状に密着して嵌合するように、前記各原型片１ａ、１ａの内側面に、上顎歯肉３面の凹凸に合わせた凹凸形状が夫々形成される。
【００２５】
続いて、この原型片１ａ、１ａを、使用者の上顎に試しに装着し、上顎歯肉３面の凹凸形状と、各原型片１ａ、１ａの内側面の凹凸形状とが上手く嵌合、密着できているか否かを確認し、微調整を行う。
【００２６】
そして、マウスピースＡを前記使用者の左右両側の上顎歯肉３上に装着した際、当該使用者のほうれい線２を内側から押し上げて目立たなくなるように、図４に示すように、各原型片１ａ、１ａの外側表面にワックス７を塗布して盛り上げる。
【００２７】
以上によって形成したマウスピースの原型である、ワックス７によって盛り上げられた前記各原型片１ａ、１ａを、図５に示すように、溶融した石膏８内に埋没させ、この状態の石膏８を高温で焼成し、前記各原型片１ａ、１ａを溶かして除去し、この石膏８を固化して内部に前記各原型片１ａ、１ａの形状の空間を形成する。
【００２８】
その後、前記各原型片１ａ、１ａの形状を形成した空間内に液体状のシリコーン材を流し込み、圧縮、化学重合させ、これを固化させてマウスピースＡを形成する。この形成したマウスピースＡを使用者の上顎歯肉３上に装着して、密着具合の最終的な調整を行い、さらに、密着度を向上させる。この最終的な調整は、具体的には、外側表面を更に盛り上げる場合には、リベース材（リライニング材）として、例えば、化学重合型レジンを付加する。一方、外側表面の盛り上がりを減らす場合には、削る。
【００２９】
そして、最終的な調整が終わったら、図１及び図６に示すように、マウスピースＡを使用者の左右の上顎歯肉３上に装着する。
【００３０】
このマウスピースＡは、一人一人オーダーメイドで、ほうれい線２を目立たなくするのに最も適切な位置及び形状が選択され、また当該位置の上顎歯肉３面の凹凸形状に合わせて、内側面に凹凸形状を形成されたものであるため、効果的にほうれい線２を目立たなくすることができる。
【００３１】
また、一旦、上顎歯肉３上に装着されると容易に外れることは無く、また、シリコーン材から形成されているので、柔らかく、一日中装着していても、違和感が無く、また、痛み等も発生し難い。その結果、食事等も問題無くでき、実用性が高いものである。
【００３２】
なお、「シリコーン材」の「シリコーン」は、「シリコン」とも呼ばれ、ケイ素と酸素からなるシロキサン結合（-Si-O-Si-）を骨格とし、そのケイ素（Si）にメチル基（-CH3）を主体とする有機基が結合したポリマーの総称であり、例えば、ポリアミド樹脂、熱可撓性アクリル樹脂、ポリカーボネート樹脂を含む概念である。
【００３３】
また、このマウスピースＡを外す際は、上顎歯肉３上にマウスピースＡの内側面を嵌合しただけなので、上顎歯肉３の上下方向と略直角方向に力を加えれば、比較的容易に外すことができる。
【００３４】
前記実施の形態例１では、マウスピースＡとして、左右の上顎歯肉３上に装着するように２つの部材から成るものを使用したが、マウスピースとしては、図７に示すように、湾曲した１つのマウスピースＢとしても良い。その場合、マウスピースＢの内側の上唇小帯に当接する箇所を予め削って凹部９を設けておくと当該上唇小帯を圧迫することもなく、装着具合も良い。
【００３５】
また、プラスティック性材料として、化学重合型コンポジットレジンを使用しているが、プラスティック性材料としてはこの化学重合型コンポジットレジンに限るものではなく、このマウスピースの原型が問題無く形成できるものなら他のプラスティック性材料でももちろん良い。
【００３６】
また、マウスピースの原型を作るために、使用者の上顎４と下顎５の歯型の型取り模型６を形成しているが、上顎４だけの型取り模型でも良い。
【００３７】
（実施の形態例２）
次に、この実施の形態例２について説明する。この実施の形態例２は、前記実施の形態例１のマウスピースＡの構成に、最後方歯の外周に当接する係止部を一端部に設けたものである。その他の構成は実施の形態例１と同様であるので、実施の形態例１と相違する前記係止部の構成についてのみ説明する。
【００３８】
前記係止部１０は、図８及び図９に示すように、マウスピースＣの奥歯側の端部を内側に延ばし、最後方歯１１の内側に巻き返して形成する。その際、使用者の最後方歯１１の外周にマウスピースＣの係止部１０の形状を合わせて、係止部１０が最後方歯１１に密着して当接するようにする。なお、図８及び図９では、右側の上顎歯肉の場合を例として、説明した。左側の上顎歯肉の場合についても右側の場合と同様であるため、説明を省略する。装着の際、この係止部１０を最後方歯１１の外周に当接させることにより、マウスピースＣを確実に最後方歯１１に留めることができ、マウスピースＣを安定して装着させることができる。これにより、マウスピースＣは、ほうれい線２を目立たなくするマウスピースとして、より信頼性が高くなる。
【００３９】
また、前記実施の形態例２では、実施の形態例１のマウスピースＡを基に、係止部１０を設けてマウスピースＣとしたが、前記マウスピースＢの奥歯側の両端部を内側に延ばし、最後方歯の内側に巻き返して係止部を設ける構成としても良い。
【００４０】
また、前記実施の形態例では、型取り模型を用いて、マウスピースの原型を作る構成を示したが、この構成に限定されるものではない。例えば、ＣＴスキャン等を用いて、使用者の上顎の断層写真を撮影し、この断層写真に基づいて、使用者の上顎の形状を計測する。そして計測された上顎の形状に基づいて、使用者の上顎歯肉面の湾曲形状に対向する内側面を湾曲形状に形成させ、また、使用者の上顎歯肉面の凹凸形状に嵌合、密着するように内側面に凹凸形状を形成させた、プラスティック性材料を、３Ｄプリンター等で形成する構成としても良い。
【符号の説明】
【００４１】
Ａ    マウスピース      Ｂ    マウスピース    Ｃ    マウスピース
１    原型              １ａ  原型片          ２    ほうれい線
３    上顎歯肉          ４    上顎            ５    下顎
６    型取り模型        ７    ワックス        ８    石膏
９    凹部            １０    係止部        １１    最後方歯
【図１】
2020081409.tif 000003
【図２】
2020081409.tif 000004
【図３】
2020081409.tif 000005
【図４】
2020081409.tif 000006
【図５】
2020081409.tif 000007
【図６】
2020081409.tif 000008
【図７】
2020081409.tif 000009
【図８】
2020081409.tif 000010
【図９】
2020081409.tif 000011
【図１０】
2020081409.tif 000012